【手続補正書】
【提出日】平成16年11月11日(2004.11.11)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、着用体及び交換体を有する吸収性物品、吸収性物品の着用体及び吸収性物品の交換体、ならびに吸収性物品の取り替え方法に関する。
【０００２】
【従来の技術】
吸収性物品、特に紙おむつにおいて、幼児用の場合には一回限りの使い捨てであるのが主流であるが、大人用では、いわゆるアウター紙おむつの内側にパッドを挿入して使用することが主流である。
【０００３】
この大人用では、テープ式の紙おむつの場合には、パッドを交換するときに、テープを外し、排泄物で汚れたパッドを取り出し、新しい交換用パッドを身体に密着させながら、紙おむつを被せ、止着テープにより紙おむつを装着している。
【０００４】
パンツ型の場合には、紙おむつを膝上まで降ろし、排泄物で汚れたパッドを取り出し、新しい交換用パッドを紙おむつの内側に位置させながら、紙おむつを引き上げながら装着することが多い。
【０００５】
【発明が解決しようとする課題】
したがって、装着者にとって、紙おむつの取り外し及び装着に多大な負担を強いるものであるとともに、特に大人用においては、被介護者にとってみれば、局部を他人にみせることになり、自尊心を傷つけ精神的な苦痛を伴う。また、パッドが排泄液を吸収しても、紙おむつの取り外し及び装着に多大な負担がかかるので、介護者が頻繁に確認するのについおっくうとなる。
【０００６】
したがって、本発明の主たる課題は、被介護者の局部を露出させることがなく交換体を交換することができ、被介護者の自尊心を傷つけ精神的な苦痛を与えることがないにすることにある。他の課題は、交換体の交換、ならびに排泄の有無の確認が容易なものとすることにある。
【０００７】
【課題を解決するための手段】
上記課題を解決した本発明は次記のとおりである。
＜請求項１項記載の発明＞
排泄局部を覆った状態で着用する着用体と、この着用体の外側にあって着用体に対して装着される交換体とを備え、
前記着用体は、排泄物を受けて、少なくともこの排泄物の排泄液を保持する吸収部を有しないもので、かつ前記排泄液を裏面側に透過可能であり、
前記交換体は、前記着用体を透過した排泄液を吸収保持し、かつ裏面側へ排泄液の透過を防止するものであり、
前記交換体は、少なくとも排泄液の吸収部、または全体が、前記着用体に対して着脱可能であることを特徴とする吸収性物品。
【０００８】
（作用効果）
Ａ．排泄物の排泄液は、着用体を通してその裏面から交換体に吸収され、排泄液の裏面側への透過は防止される。交換体は、少なくとも排泄液の吸収部、または全体が、着用体に対して着脱可能である。したがって、排泄があった場合、着用体を着用させたまま、着用体から交換体を脱着させ、新しい交換体と取り替えて着用体に装着させることにより、介護者にとって容易にかつ負担が少なく交換体の交換が可能となる。さらに、着用体は、排泄局部を覆った状態で交換体の着脱が可能であるから、被介護者の局部を露出させることがなく、被介護者の自尊心を傷つけ精神的な苦痛を与えることがないものとなる。
【０００９】
Ｂ．着用体は、排泄物の排泄液を保持するたとえば綿状パルプなどの吸収部を有しないものである。この形態では、取り替え時期間において、大量の排泄液の吸収保持量が要求されない場合において有効であり、吸収部の存在によるモコモコ感から解放され、良好な装着感が得られる。
【００１０】
＜請求項２項記載の発明＞
着用体は、少なくとも排泄局部が織布または編成布からなる請求項１記載の吸収性物品。
【００１１】
（作用効果）
少なくとも排泄局部が織布または編成布からなるものであれば、排泄液は透過するとともに、パンツやショーツのように、排泄局部の刺激がないものとなる。
【００１２】
＜請求項３項記載の発明＞
排泄局部を覆った状態で着用する着用体と、この着用体の外側にあって着用体に対して装着される交換体とを備え、
前記着用体は、排泄物を受けて少なくともこの排泄物の排泄液を裏面側に透過または溢出可能であり、前記交換体は、前記着用体を透過または着用体から溢出した排泄液を吸収保持し、裏面側へ排泄液の透過を防止するものであり、
前記交換体は、少なくとも排泄液の吸収部、または全体が、前記着用体に対して着脱可能であることを特徴とする吸収性物品。
【００１３】
（作用効果）
本請求項３記載の吸収性物品においては、着用体は、排泄物の排泄液を保持するたとえば綿状パルプなどの吸収部を有していても、有していなくても良い。また着用体は排泄液を裏面側に透過せずに、溢出するように構成し、溢出した排泄液を交換体により吸収保持するようにしても良い。いずれにせよ、上記Ａの作用効果が奏せられる。
【００１４】
＜請求項４項記載の発明＞
排泄局部を覆った状態で着用する着用体であり、この着用体の裏面側にあって、着用体を透過した排泄液を吸収保持し、裏面側へ排泄液の透過を防止する交換体が着脱可能に装着されるものであり、
前記着用体は、排泄物を受けて少なくともこの排泄物の排泄液を裏面側に透過可能であることを特徴とする吸収性物品の着用体。
【００１５】
＜請求項５項記載の発明＞
排泄液を透過する表面層及び裏面層、ならびにこれらの層の間に介在され、排泄液を保持する液保持層を有する請求項４記載の着用体。
【００１６】
（作用効果）
着用体を排泄液透過性の単一のシートにより形成することも可能であるが、着用者（被介護者）の肌への密着性や感触性が劣る。そこで、少なくとも３層構造とすることにより、密着性及び感触性を高めることができる。さらに、液保持層たとえば綿状パルプ層を設け、排泄液を一時的に吸収して保持するようにすることで、排尿速度が速い場合にも、速やかに吸収でき、漏れを防止できるとともに、液保持層と交換体の吸収部の両者が排泄液を吸収するから、交換体の排泄液の吸収量の負担が少なくなる利点もある。
【００１７】
＜請求項６項記載の発明＞
着用体が、止着テープを用いて装着される、またはパンツ式のものである請求項４または５記載の着用体。
【００１８】
＜請求項７項記載の発明＞
排泄物を受けて少なくともこの排泄物の排泄液を裏面側に透過可能であり、排泄局部を覆った状態で着用する着用体の裏面側にあって、着脱可能に装着されるものであり、
前記着用体を透過した排泄液を吸収保持し、裏面側へ排泄液の透過を防止するものであることを特徴とする吸収性物品の交換体。
【００１９】
＜請求項８項記載の発明＞
着用体を透過した排泄液を吸収保持した状態が、外部から視認できる視認手段が設けられている請求項７記載の吸収性物品の交換体。
【００２０】
（作用効果）
交換体が、着用体を透過した排泄液を吸収保持した状態が、外部から視認できる視認手段、たとえばいわゆる「お知らせマーク」が設けられていることにより、交換体の交換時期を介護者が容易に判断できる。
【００２１】
＜請求項９項記載の発明＞
排泄液を透過する表面層、裏面側へ排泄液の透過を防止する裏面層、ならびにこれらの層の間に介在され、排泄液を保持する液保持層を有する請求項７記載の交換体。
【００２２】
＜請求項１０項記載の発明＞
交換体が着用体に対して機械的ファスナーシステムにより着脱可能とされている請求項７〜９のいずれか１項に記載の交換体。
【００２３】
（作用効果）
交換体を着用体に対して機械的ファスナーシステムにより着脱可能とすることにより、交換作業がきわめて簡単になる。
【００２４】
＜請求項１１項記載の発明＞
排泄局部を覆った状態で着用する着用体と、この着用体の外側にあって着用体に対して装着される交換体とを要素とし、
前記着用体は、排泄物を受けて少なくともこの排泄物の排泄液を裏面側に透過または溢出可能であり、前記交換体は、前記着用体を透過または着用体から溢出した排泄液を吸収保持し、裏面側へ排泄液の透過を防止するものであり、
前記交換体は、少なくとも排泄液の吸収部、または全体が、前記着用体に対して着脱可能であり、
前記着用体に対して旧交換体を取り外して新交換体を装着して取り替えを行うことを特徴とする吸収性物品の取り替え方法。
【００２５】
（作用効果）
親族の介護者のみならず、介護施設の従業員にとって、他人である被介護者の局部を露出させることがなく、被介護者の自尊心を傷つけ精神的な苦痛を与えることがないので、安心して交換体の交換が可能となるばかりでなく、従業員にとって容易にかつ負担が少なく交換体の交換が可能となる。
【００２６】
【発明の実施の形態】
以下本発明の実施の形態を図面を参照しながらさらに詳説する。
図１はパンツ型おむつ例の展開状態の使用面側からの視図を示し、図２は裏面側からの視図、図３は長手方向中央の横断面図を示し、図４は製品の斜視図である。ここに、図１を用いておむつ各部名称の意味について説明すると、先ず、「縦方向」（「長手方向」）とは、前身頃Ｆ側と後身頃Ｂ側を結ぶ方向を意味し、「周方向」とは前記縦方向と直交する方向（または製品幅方向）を意味する。「ウエスト開口縁」とはウエスト開口部ＷＯの縁を意味し、「レッグ開口縁」とはレッグ開口部ＬＯの縁を意味する。「レッグ開口始端」とはレッグ開口部ＬＯのレッグ開口縁と接合部３０と交差する位置を意味し、レッグ開口縁の始まり個所の意味である。「胴周り領域」Ｔとは、ウエスト開口縁からレッグ開口始端に至る長さ範囲の全体領域を意味する。胴周り領域Ｔは、概念的に「ウエスト部」Ｗと「腰下部」Ｕとに分けることができる。これらの縦方向の長さは、製品のサイズによって異なる。「股部領域」Ｌとは、レッグ開口部ＬＯを形成する範囲、すなわち前身頃Ｆ側のレッグ開口始端から後身頃Ｂ側のレッグ開口始端に至る長さ範囲の全体領域を意味する。また、「中央部」とは、製品の中央線を含む側部を除く中間領域を意味する。「脇部」とは、胴周り領域Ｔにおける両側部を意味する。
【００２７】
次に構造について説明すると、本例の紙おむつは、排泄局部を覆った状態で着用し、排泄物を受けて少なくともこの排泄物の排泄液を裏面側に透過可能である着用体１０と、この着用体１０の裏面側にあって着用体１０に対して装着される交換体２０とを備える。
【００２８】
＜第１の実施の形態＞
着用体１０は、おむつ外形をなす外装シート１と、この外装シート１の内面にウエスト部Ｗを除く部分を覆うように、中央部において股間部を中心として前後方向に延在する固定された吸収主体３とを備える。外装シート１は、たとえば２枚の撥水性不織布からなり、それらの間に縦方向両端部に細い糸ゴムなどからなる伸縮部材２，２…が弾性伸縮可能に設けられており、ウエスト開口部ＷＯを構成している。
【００２９】
吸収主体３は、使用面側において排泄液を透過するたとえば不織布、透液開口を有するフィルム、ネットシートなどからなる表面層４、この表面層４を透過した排泄液を保持するたとえば綿状パルプからなる液保持層５と、排泄液を透過可能な裏面層６を有する。実施の形態における裏面層６は、たとえばポリエチレンなどのプラスチックシートなどからなり、中央部に大きい透孔６ａを有する裏面層本体６Ａと、その裏面層本体６Ａの透孔６ａを覆い、多数の小透孔６ｂを有するポリエチレンなどのプラスチックシートなどからなる透過層６Ｂとから構成されている。透過層６Ｂとしては不織布なども採用でき、この場合には、不織布繊維間が液透過孔を形成する。
【００３０】
他方、吸収主体３の両側部には起立カフス７，７が設けられている。起立カフス７は、起立シート７Ａの外側部を表面層４または裏面層本体６Ａに固定し、内側部を自由起立部としたもので、起立シート７Ａの袋状部に適宜本数の細い糸ゴムなどからなる伸縮部材７Ｂが弾性伸縮可能に設けられたもので、その伸縮部材７Ｂの収縮力により自由起立部が使用面側に起立するように構成されている。８は必要により表面層４と裏面層６との間に設けることができる伸縮部材である。
【００３１】
着用体１０は、前身頃Ｆと後身頃Ｂとの両側縁部の縦方向全体を超音波シールや熱溶融などの繊維溶着手段により接合部３０をもって接合され、これにより図４に示すように、ウエスト開口部ＷＯと１対のレッグ開口部ＬＯが形成される。
【００３２】
前述のように、着用体１０の裏面側に交換体２０が設けられ、交換体２０が着用体１０に対して装着される。
【００３３】
交換体２０は、着用体を透過した排泄液を吸収保持し、裏面側へ排泄液の透過を防止するものである。実施の形態の交換体２０は、使用面側において排泄液を透過するたとえば不織布からなる表面層２１、この表面層２１を透過した排泄液を保持するたとえば綿状パルプ及び必要により適宜の位置に設けられる高吸収性ポリマーからなる液保持層２２と、排泄液の透過を防止するたとえばポリエチレンなどのプラスチックシートなどからなる裏面層２３を有する。
【００３４】
着用体１０に対する交換体２０の交換に際しての着脱形態として、機械的ファスナーシステムが採用されている。すなわち、外装シート１の裏面の適宜個所、実施の形態では、透過層６Ｂより外方の４隅にフックファスナー４１、４１…が固定され、これらの位置に対応してループファスナー４２、４２…が交換体２０の表面層２１に固定されている。
【００３５】
上記の実施の形態においては、交換体２０を、そのループファスナー４２、４２…をフックファスナー４１、４１…に対して機械的に係合して、着用体１０に連結固定した状態で使用に供する。この状態で、被介護者は、交換体２０と共に着用体１０を股間部に着用する。被介護者の排泄物の排泄液（軟便の液や尿）は、表面層４を透過し、一部は液保持層５に保持されるが、ある量を超えると、裏面層６の透孔６ａを通して、交換体２０に移行する。交換体２０では、表面層２１を通して液保持層２２に吸収されるが、排泄液の裏面側への透過は裏面層２３の存在により防止される。
【００３６】
排泄があった場合、適宜の時点で、着用体１０を着用させたまま、着用体１０から交換体２０を脱着させる。この脱着は、ループファスナー４２、４２…をフックファスナー４１、４１…から外すことにより容易に行うことができる。汚れた交換体２０を新しい交換体と取り替えて、これを着用体１０に装着させる。
【００３７】
かかる交換作業は、介護者にとって容易にかつ負担が少ないものとなる。さらに、着用体１０は、排泄局部を覆った状態で交換体２０の着脱が可能であるから、被介護者の局部を露出させることがなく、被介護者の自尊心を傷つけ精神的な苦痛を与えることがないものとなる。
【００３８】
＜第２の実施の形態＞
第１の実施の形態では、交換体２０全体を交換するものであるが、交換体２０の一部のみを交換する形態も提案される。たとえば、表面層２１と裏面層２３とを袋状に形成し、たとえば前身頃側に袋口を形成し、その袋口から汚れた液保持層２２のみを取り出し、新しい液保持層２２を袋口から挿入した上で、交換体２０を着用体１０に装着させるようにすることもできる。この場合、汚れた液保持層２２の取り出し作業が必要となるので、液保持層２２の端部に摘みテープ類を取り付けておくことができる。また、液保持層２２を袋口から出入りさせて交換する形態などの場合において、たとえば前身頃Ｆ側のみに機械的ファスナーシステムを採用し、後身頃Ｂ側端部については、着脱不能に固定しておくことができる。
【００３９】
＜第３の実施の形態＞
図５及び図６は、第３の実施の形態を示したもので、交換体２０の着用体１０への保持に、側部保持シート５０，５０を設けて、交換体２０の側部を覆うようにしたものである。すなわち、側部保持シート５０，５０を外装シート１の裏面にその側部を固定し、非固定部を中心線側に開口する袋部とし、必要により、図示のように、側部保持シート５０，５０の内面に４箇所、フックファスナー５２，５２…を固定し、これらの位置に対応して裏面層２３にループファスナー５１，５１…を固定したものである。この形態では、交換体２０の両側部が、側部保持シート５０，５０の各袋部内に保持され、さらにその保持がフックファスナー５２，５２…とループファスナー５１，５１…との係合により固定されるために、交換体２０の使用中の脱着を確実に防止できる。
【００４０】
＜第４の実施の形態＞
図７は、第４の実施の形態を示したもので、交換体２０の着用体１０への着脱固定を、抑え部材、たとえばゴムバンドからなる弾性伸縮部材５３，５３により行うようにしたものである。弾性伸縮部材５３，５３の両端部は、外装シート１に固定され、中間部が非固定である。したがって、弾性伸縮部材５３，５３の中間部を伸ばして、交換体２０を差し入れ、その装着が可能となり、脱着はその逆の操作を行えばよい。
【００４１】
＜第５の実施の形態＞
図８は、第５の実施の形態を示したもので、着用体１０をテープ式紙おむつにしたもので、止着テープ７０はメカニカルファスナーテープまたは粘着テープであり、前身頃外面に設けたフロントターゲットテープ７１に対して止着及び脱着可能にしたものである。外装シート１の裏面がたとえば不織布などからなる場合、フロントターゲットテープ７１を省略して、メカニカルファスナーテープからなる止着テープ７０を前記不織布に止着及び脱着可能にすることもできる。
【００４２】
＜第６の実施の形態＞
上記各形態では、着用体１０が、液保持層５を有する吸収主体３を備えたものである。しかし、図３の対比で示す図９に示されているように、排泄液を吸収保持することなく、排泄液をそのまま裏面側に透過させる形態も提案される。すなわち、着用体１０Ａは、少なくとも排泄局部が織布または編成布からなる、たとえばパンツ型のものとすることができる。この場合、全体または実質的に全体を織布または編成布からなるもののほか、排泄局部のみを織布または編成布にすることができる。あるいは、全体または実質的に全体を織布または編成布から形成し、排泄局部以外の部分からの漏れを防止するために、排泄局部以外の部分については適宜の防漏手段、たとえば撥水手段、具体的にはたとえばゴム引き布やプラスチック含浸布部分とすることができる。
【００４３】
この種の具体化例として、内面が織布または編成布などの布１１からなり、外面が防漏層１２とし、排泄局部については織布または編成布などの布１３からなるものを、適宜の手段（接着や逢着など）により固定できる。この場合、布１１及び防漏層１２、ならびに布１３は伸縮性があるものが望ましい。特に、男性用の場合には、排泄局部を覆う布１３は伸縮性があるものが望ましい。
【００４４】
この種の着用体１０Ａは、排泄液の吸収保持部を有しないから、洗濯後、再使用可能なもの（ウォッシャブル）とすることができる。
【００４５】
＜第７の実施の形態＞
上記各形態において、交換体２０は、着用体１０の外装シート１に、または着用体１０Ａの防漏層１２に連結するものであるが、排泄局部を覆うシートに対して交換体２０を着脱自在に連結することができる。たとえば、第１の実施の形態に対する変形例を示す図１０を参照すれば、排泄局部を覆うシートとしての透過層６Ｂを、外装シート１の裏面側に設け、その透過層６Ｂの４隅にフックファスナー４１、４１…を固定し、これらの位置に対応してループファスナー４２、４２…を交換体２０の表面層２１に固定する形態とすることができる。この場合において、フックファスナー４１とループファスナー４２とは逆の関係にあってもよい。
【００４６】
＜第８及び第９の実施の形態＞
着用体に対して交換体を連結するに際して、図７の対比で図示する図１１に示すように、外装シート１の適宜の位置にフックファスナーを有する止着テープ５４を設け、この止着テープ５４の止着部を、交換体２０の裏面層２３に設けたループファスナー部５５または裏面層２３自体が不織布である場合、その不織布に、着脱自在に連結できる。
【００４７】
また、着用体に対して交換体をジッパー方式により連結することもできる。たとえば、図１２に示すように、外装シート１に第１ジッパーテープ片５５及びスライダー５７を設け、交換体２０の側部に第２ジッパーテープ片５６を設けておき、連結時において、第２ジッパーテープ片５６をスライダー５７に係止させ、スライダー５７を移動させて第１ジッパーテープ片５５と第２ジッパーテープ片６とを噛合するものである。
【００４８】
＜第１０の実施の形態＞
上記各形態は、交換体２０と着用体１０とを直接的に連結するものであるが、本発明では、図１３および図１４に示すように、交換体２０の全体（一部でも良い）を覆う最外層シート５００が着用体１０に開閉可能に設けられ、交換体２０は着用体１０との直接的な連結手段を有さず、最外層シート５００によって支持されることで着用体１０に装着される形態を採ることもできる。
【００４９】
図示例では、最外層シート５００がフックファスナー５１，５０１と係合連結される不織布により形成される。交換体２０の外面の四隅にはフックファスナー５１がそれぞれ固定されており、交換体２０はこのフックファスナー５１によって最外層シート５００の内面に連結されるようになっている。しかし、この交換体２０と最外層シート５００との連結手段は必ずしも設ける必要はない。
【００５０】
一方、最外層シート５００は、着用体１０における一方の身頃の胴周り領域Ｔ全体から他方の身頃の腰下部Ｕの中央部にわたる範囲をカバーする形状をなし、交換体２０の配設位置と重ならない縦方向一端部が一方の身頃の外面に固定され、他端側は開閉自由となっている。より詳細には、最外層シート５００は、前身頃Ｆの胴回り領域Ｔの外面にこれと対応する部分が固定されており、その他の部分は固定されない構造となっている。また、着用体１０の外装シート１外面における、最外層シート５００の自由端部５０１と対応する位置の幅方向両端には、フックファスナー１０１，１０１がそれぞれ固定されており、最外層シート５００の自由端部５０１はこのフックファスナー１０１，１０１と係合連結される。
【００５１】
かくして、最外層シート５００の自由端部５０１を着用体１０外面のフックファスナー１０１，１０１から剥がして開けば、交換体２０の着脱が可能となる。図示例の場合、交換体２０が最外層シート５００に固定されているので、交換体２０の位置がずれるといった問題が発生しにくい。なお、図示例では最外層シート５００は、着用体１０からの取り外し・交換は不可能となっているが、最外層シート１０の全体を着用体１０に対して着脱できるように構成しても良い。
【００５２】
＜第１１の実施の形態＞
上記各形態は排泄液が着用体１０を透過するものであるが、本発明では排泄液が着用体１０を透過せずに溢出（横漏れ）し、この溢出した排泄液を交換体２０により吸収保持する構成とすることもできる。
【００５３】
この例を図１５に示した。着用体１０の股間部ｙの幅は、図示のように排泄局部を隠すのに十分な幅、例えば成人の場合で４〜１０ｃｍ程度とするのが望ましいが、排泄液を溢出させうる限りこれよりも広くても良い。また着用体１０の吸収主体３は省略することができる。
【００５４】
一方、交換体２０は、矢印で示すように股間部ｙの両脇から溢出する排泄液を受けてこれを十分に吸収保持できるように、股間部ｙの両脇から十分にはみ出るように構成される。この場合、実質的には、交換体２０の側部が脚周り部分を構成することになる。交換体２０の着脱形態は前述の各形態を採用できる。図示例では、第１の実施形態の着脱形態を採用している。
【００５５】
かくして構成されることにより、着用体１０から溢出した排泄液は交換体２０により吸収保持されるようになる。図示例では、積極的に排泄液の溢出を促すように股間部幅ｘを狭くしているが、本形態は、例えば着用体１０に吸収主体３を設けた場合に、これにより吸収保持しきれない排泄液を補佐的に吸収保持するような場合にも適している。
【００５６】
＜他の実施の形態＞
本発明において、着用体１０は、上記の実施の形態に限定されるものではなく、着用体として積層構造を採ることなく、たとえば縦方向及び周方向の各中央部に透孔を形成した単一のシートからなるものでもよい。着用体１０の表面層及び裏面層としては、排泄液透過部分が網タイプのものでもよい。これらの材質についても、限定はなく、たとえば織布などでもよい。液保持層を必須とするものではないが、液保持層は排泄液の一時的な保持のために好適であり、必要ならば、複数の積層構造としたり、前及びまたは後に予備の吸収体を設けることができる。着用体１０は、起立カフスを省略することもできる。
【００５７】
他方、交換体２０は、その大きさ及び形状は適宜選択できる。その裏面層２３は、肌触りが良好な不織布などを用いるのが望ましい。交換体２０の裏面の適宜の位置に排泄の有無を介護者に知らせる当業界で公知のいわゆる「おしらせマーク」を設けるのが望ましい。
【００５８】
前記例において、機械的ファスナーシステムにおいて、フックファスナーとループファスナーとは、逆の位置関係でもよい。さらに、フックファスナーと対向する面が不織布などのループ性の材質面である場合、ループファスナーを設けることなく、そのたとえば不織布面にフックファスナーを係合することができる。フックファスナー及びループファスナー自体の形状などは、各種公知のものを使用できる。
【００５９】
なお、被介護者の局部は男女で異なるので、液透過部位などを変えて性別に対して専用とすることもできる。本発明の吸収性物品は、大人用に適したものであるが、幼児用とすることもできる。
【００６０】
【発明の効果】
以上のとおり、本発明によれば、被介護者の局部を露出させることがなく交換体を交換することができ、被介護者の自尊心を傷つけ精神的な苦痛を与えることがない。さらに、交換体の交換、ならびに排泄の有無の確認が容易なものとなるなどの利点がもたらされる。
【手続補正２】
【補正対象書類名】明細書
【補正対象項目名】図面の簡単な説明
【補正方法】変更
【補正の内容】
【図面の簡単な説明】
【図１】
パンツ型おむつ例の展開状態の使用面側からの視図である。
【図２】
裏面側からの視図である。
【図３】
長手方向中央の横断面図である。
【図４】
製品の斜視図である。
【図５】
他の形態の裏面側からの視図である。
【図６】
その形態の長手方向中央の横断面図である。
【図７】
別の形態の裏面側からの視図である。
【図８】
テープ式おむつ例の展開状態の使用面側からの視図である。
【図９】
さらに他の実施の形態に係る長手方向中央の横断面図である。
【図１０】
別異の実施の形態に係る長手方向中央の横断面図である。
【図１１】
他の連結形態を示す裏面側からの視図である。
【図１２】
別の連結形態を示す裏面側からの視図である。
【図１３】
他の連結形態を示す裏面側からの視図である。
【図１４】
図１３の縦方向に沿う断面図である。
【図１５】
排泄液を着用体から溢出させる形態を示す裏面側からの視図である。
【符号の説明】
１…外装シート、２…伸縮部材、３…吸収主体、４…表面層、５…液保持層、６…裏面層、６Ａ…裏面層本体、６ａ…透孔、６Ｂ…透過層、６ｂ…小透孔、７…起立カフス、１０…着用体、２０…交換体、２１…表面層、２２…液保持層、２３…裏面層、４１…フックファスナー、４２…ループファスナー、５０…側部保持シート、５１…ループファスナー、５２…フックファスナー、５３…弾性伸縮部材、７０…止着テープ、７１…フロントターゲットテープ。